(57)【要約】【課題】複数のマーカーに対する波形の情報を、見やすく表示することのできる測定装置を提供する。【解決手段】測定装置１は、表示画面１７上の接触位置を検出可能なタッチパネル１６と、測定データを記憶する記憶部１９と、測定データに基づく波形を表示画面１７に表示する波形表示処理手段３０と、波形上の接触位置にマーカーＭａ，Ｍｂを表示すると共に、マーカーＭａ，Ｍｂの位置に対応する波形の情報を、情報表示枠Ｃａ，Ｃｂに表示する情報表示処理手段３１と、情報表示枠Ｃａ及び情報表示枠Ｃｂに対する結合操作を検出して、情報表示処理手段３１に、情報表示枠Ｃａ及び情報表示枠Ｃｂを結合した新たな情報表示枠Ｃｔを表示させる結合手段３５とを、備えるものである。【選択図】図７
2014153313.tif 000002
【特許請求の範囲】
【請求項１】
表示画面上の接触位置を検出可能なタッチパネルと、
測定データを記憶する記憶部と、
前記測定データに基づく波形を前記表示画面に表示する波形表示処理手段と、
前記波形上の接触位置にマーカーを表示すると共に、前記マーカーの位置に対応する前記波形の情報を、情報表示枠に表示する情報表示処理手段と、
前記情報表示枠及び他の前記情報表示枠に対する結合操作を検出して、前記情報表示処理手段に、前記情報表示枠及び前記他の情報表示枠を結合した新たな情報表示枠を表示させる結合手段とを、備えることを特徴とする測定装置。
【請求項２】
前記新たな情報表示枠に対する分割操作を検出して、前記情報表示処理手段に、前記新たな情報表示枠に結合前の前記情報表示枠及び前記他の情報表示枠を表示させる分割手段を備えることを特徴とする請求項１に記載の測定装置。
【請求項３】
前記情報表示枠の表示位置を、前記情報表示枠に対する接触位置の移動に対応させて移動させる移動手段を備えることを特徴とする請求項１又は２に記載の測定装置。
【請求項４】
前記結合手段が、前記情報表示枠に表示されている情報と前記他の情報表示枠に表示されている他の情報とによる演算処理を行い、その演算結果を前記新たな情報表示枠に表示させることを特徴とする請求項１から３のいずれかに記載の測定装置。
【請求項５】
前記情報に対しコメントを入力するためのコメント入力手段を備え、
前記情報表示処理手段が、入力された前記コメントを前記情報表示枠に表示することを特徴とする請求項１から４のいずれかに記載の測定装置。
【請求項６】
前記情報表示処理手段が、前記マーカーと前記情報表示枠とを繋ぐ引き出し線を表示することを特徴とする請求項１から５のいずれかに記載の測定装置。
【請求項７】
前記情報表示処理手段が、前記波形に対する前記マーカー及び前記情報表示枠の表示位置を、前記波形に対して再表示可能に、前記記憶部に記憶させることを特徴とする請求項１から６のいずれかに記載の測定装置。
【請求項８】
外部機器と接続するための外部インタフェース部、及び／又は、外部記録媒体に書き込むための外部記録装置を備え、
前記情報表示処理手段が、前記表示画面に表示されている表示画像データを、前記外部インタフェース部から出力可能であり、及び／又は、前記外部記録装置から前記外部記録媒体に書き込み可能であることを特徴とする請求項１から７のいずれかに記載の測定装置。
【請求項９】
表示画面上の接触位置を検出可能なタッチパネルを備えるコンピュータに、測定データに基づく波形を表示させるプログラムであって、
前記コンピュータを、
測定データを記憶する記憶部と、
前記測定データに基づく波形を前記表示画面に表示する波形表示処理手段と、
前記波形上の接触位置にマーカーを表示すると共に、前記マーカーの位置に対応する前記波形の情報を、情報表示枠に表示する情報表示処理手段と、
前記情報表示枠及び他の前記情報表示枠に対する結合操作を検出して、前記情報表示処理手段に、前記情報表示枠及び前記他の情報表示枠を結合した新たな情報表示枠を表示させる結合手段として動作させることを特徴とするプログラム。
【請求項１０】
前記コンピュータを、前記新たな情報表示枠に対する分割操作を検出して、前記情報表示処理手段に、前記新たな情報表示枠に結合前の前記情報表示枠及び前記他の情報表示枠を表示させる分割手段として動作させることを特徴とする請求項９に記載のプログラム。
【請求項１１】
前記コンピュータを、前記情報表示枠の表示位置を前記情報表示枠に対する接触位置の移動に対応させて移動させる移動手段として動作させることを特徴とする請求項９又は１０に記載のプログラム。
【請求項１２】
前記結合手段が、前記情報表示枠に表示されている情報と前記他の情報表示枠に表示されている他の情報とによる演算処理を行い、その演算結果を前記新たな情報表示枠に表示させることを特徴とする請求項９から１１のいずれかに記載のプログラム。
【請求項１３】
前記コンピュータを、前記情報に対しコメントを入力するためのコメント入力手段として動作させ、
前記情報表示処理手段が、入力された前記コメントを前記情報表示枠に表示することを特徴とする請求項９から１２のいずれかに記載のプログラム。
【請求項１４】
前記情報表示処理手段が、前記マーカーと前記情報表示枠とを繋ぐ引き出し線を表示することを特徴とする請求項９から１３のいずれかに記載のプログラム。
【請求項１５】
前記情報表示処理手段が、前記波形に対する前記マーカー及び前記情報の表示位置を、前記波形に対して再表示可能に、前記記憶部に記憶させることを特徴とする請求項９から１４のいずれかに記載のプログラム。
【請求項１６】
外部機器と接続するための外部インタフェース部、及び／又は、外部記録媒体に書き込むための外部記録装置を備える前記コンピュータを、
前記情報表示処理手段が、前記表示画面に表示されている表示画像データを、前記外部インタフェース部から出力可能であり、及び／又は、前記外部記録装置から前記外部記録媒体に書き込み可能に動作させることを特徴とする請求項９から１５のいずれかに記載のプログラム。
【発明の詳細な説明】
【技術分野】
【０００１】
本発明は、表示画面に測定データに基づく波形を表示する測定装置、及び、コンピュータの表示画面に測定データに基づく波形を表示させるプログラムに関するものである。
【背景技術】
【０００２】
測定装置には、例えば、波形記録装置、デジタルオシロスコープ、データロガーなど、測定結果を波形で表示するものがある。
【０００３】
このような測定装置の中には、波形上の任意の位置にマーカーを表示して、マーカーの位置の縦軸の値（電圧、電流、電力、温度等の測定データ）や横軸の値（時間等）を示す数値を表示したり、波形のチャネル番号を表示したりするように、マーカーの位置の波形の情報を文字で表示できるものがある。
【０００４】
例えば特許文献１には、表示画面を複数領域に分割して、マーカーと重ならない領域にテキスト情報を移動させる波形測定装置が記載されている。
【先行技術文献】
【特許文献】
【０００５】
【特許文献１】特開２００２−２６７６９１号公報
【発明の概要】
【発明が解決しようとする課題】
【０００６】
特許文献１の測定装置では、マーカーと重ならない位置に自動的に情報（テキスト情報）が表示される。しかしながら、複数のマーカーを表示してそれらの情報を表示する場合、見難くなることがある。
【０００７】
本発明は前記の課題を解決するためになされたもので、複数のマーカーに対する波形の情報を、見やすく表示することのできる測定装置、及びプログラムを提供することを目的とする。
【課題を解決するための手段】
【０００８】
前記の目的を達成するためになされた、特許請求の範囲の請求項１に記載された測定装置は、表示画面上の接触位置を検出可能なタッチパネルと、測定データを記憶する記憶部と、前記測定データに基づく波形を前記表示画面に表示する波形表示処理手段と、前記波形上の接触位置にマーカーを表示すると共に、前記マーカーの位置に対応する前記波形の情報を、情報表示枠に表示する情報表示処理手段と、前記情報表示枠及び他の前記情報表示枠に対する結合操作を検出して、前記情報表示処理手段に、前記情報表示枠及び前記他の情報表示枠を結合した新たな情報表示枠を表示させる結合手段とを、備えることを特徴とする。
【０００９】
請求項２に記載された測定装置は、請求項１に記載のものであり、前記新たな情報表示枠に対する分割操作を検出して、前記情報表示処理手段に、前記新たな情報表示枠に結合前の前記情報表示枠及び前記他の情報表示枠を表示させる分割手段を備えることを特徴とする。
【００１０】
請求項３に記載された測定装置は、請求項１又は２に記載のものであり、前記情報表示枠の表示位置を、前記情報表示枠に対する接触位置の移動に対応させて移動させる移動手段を備えることを特徴とする。
【００１１】
請求項４に記載された測定装置は、請求項１から３のいずれかに記載のものであり、前記結合手段が、前記情報表示枠に表示されている情報と前記他の情報表示枠に表示されている他の情報とによる演算処理を行い、その演算結果を前記新たな情報表示枠に表示させることを特徴とする。
【００１２】
請求項５に記載された測定装置は、請求項１から４のいずれかに記載のものであり、前記情報に対しコメントを入力するためのコメント入力手段を備え、前記情報表示処理手段が、入力された前記コメントを前記情報表示枠に表示することを特徴とする。
【００１３】
請求項６に記載された測定装置は、請求項１から５のいずれかに記載のものであり、前記情報表示処理手段が、前記マーカーと前記情報表示枠とを繋ぐ引き出し線を表示することを特徴とする。
【００１４】
請求項７に記載された測定装置は、請求項１から６のいずれかに記載のものであり、前記情報表示処理手段が、前記波形に対する前記マーカー及び前記情報表示枠の表示位置を、前記波形に対して再表示可能に、前記記憶部に記憶させることを特徴とする。
【００１５】
請求項８に記載された測定装置は、請求項１から７のいずれかに記載のものであり、外部機器と接続するための外部インタフェース部、及び／又は、外部記録媒体に書き込むための外部記録装置を備え、前記情報表示処理手段が、前記表示画面に表示されている表示画像データを、前記外部インタフェース部から出力可能であり、及び／又は、前記外部記録装置から前記外部記録媒体に書き込み可能であることを特徴とする。
【００１６】
請求項９に記載されたプログラムは、表示画面上の接触位置を検出可能なタッチパネルを備えるコンピュータに、測定データに基づく波形を表示させるプログラムであって、前記コンピュータを、測定データを記憶する記憶部と、前記測定データに基づく波形を前記表示画面に表示する波形表示処理手段と、前記波形上の接触位置にマーカーを表示すると共に、前記マーカーの位置に対応する前記波形の情報を、情報表示枠に表示する情報表示処理手段と、前記情報表示枠及び他の前記情報表示枠に対する結合操作を検出して、前記情報表示処理手段に、前記情報表示枠及び前記他の情報表示枠を結合した新たな情報表示枠を表示させる結合手段として動作させることを特徴とする。
【００１７】
請求項１０に記載されたプログラムは、請求項９に記載のものであり、前記コンピュータを、前記新たな情報表示枠に対する分割操作を検出して、前記情報表示処理手段に、前記新たな情報表示枠に結合前の前記情報表示枠及び前記他の情報表示枠を表示させる分割手段として動作させることを特徴とする。
【００１８】
請求項１１に記載されたプログラムは、請求項９又は１０に記載のものであり、前記コンピュータを、前記情報表示枠の表示位置を前記情報表示枠に対する接触位置の移動に対応させて移動させる移動手段として動作させることを特徴とする。
【００１９】
請求項１２に記載されたプログラムは、請求項９から１１のいずれかに記載のものであり、前記結合手段が、前記情報表示枠に表示されている情報と前記他の情報表示枠に表示されている他の情報とによる演算処理を行い、その演算結果を前記新たな情報表示枠に表示させることを特徴とする。
【００２０】
請求項１３に記載されたプログラムは、請求項９から１２のいずれかに記載のものであり、前記コンピュータを、前記情報に対しコメントを入力するためのコメント入力手段として動作させ、前記情報表示処理手段が、入力された前記コメントを前記情報表示枠に表示することを特徴とする。
【００２１】
請求項１４に記載されたプログラムは、請求項９から１３のいずれかに記載のものであり、前記情報表示処理手段が、前記マーカーと前記情報表示枠とを繋ぐ引き出し線を表示することを特徴とする。
【００２２】
請求項１５に記載されたプログラムは、請求項９から１４のいずれかに記載のものであり、前記情報表示処理手段が、前記波形に対する前記マーカー及び前記情報の表示位置を、前記波形に対して再表示可能に、前記記憶部に記憶させることを特徴とする。
【００２３】
請求項１６に記載されたプログラムは、請求項９から１５のいずれかに記載のものであり、外部機器と接続するための外部インタフェース部、及び／又は、外部記録媒体に書き込むための外部記録装置を備える前記コンピュータを、前記情報表示処理手段が、前記表示画面に表示されている表示画像データを、前記外部インタフェース部から出力可能であり、及び／又は、前記外部記録装置から前記外部記録媒体に書き込み可能に動作させることを特徴とする。
【発明の効果】
【００２４】
本発明の測定装置及びプログラムによれば、表示画面上に表示した複数のマーカーに対応する複数の情報表示枠を、結合手段が、結合操作で１つの情報表示枠に結合して表示する。このため、各情報表示枠を結合せずに独立させて表示させたり、各情報表示枠を結合して情報を１か所に表示させたりして、測定者（操作者）は情報の見やすい表示方法を選択することができる。
【００２５】
分割操作で、新たな情報表示枠を、結合前の情報表示枠及び他の情報表示枠に分割して表示する場合、例えば測定者が結合前の元の情報表示枠を表示させたいときに新たな情報表示枠を消去してから再度元の情報表示枠を表示させる必要がなく、直ちに元の情報表示枠に戻して表示することができる。
【００２６】
移動手段が情報表示枠の表示位置を、情報表示枠に対する接触位置の移動に対応させて移動させる場合、測定者は所望の任意の位置に、簡便な操作で情報表示枠を移動できるので、情報を一層見やすく表示することができる。
【００２７】
結合手段が情報表示枠に表示されている情報と他の情報表示枠に表示されている他の情報とによる演算処理を行い、その演算結果を結合した新たな情報表示枠に表示する場合、演算結果が自動で表示されるので便利であり、しかも情報表示枠は見やすく表示することが可能なので、演算結果も見やすくなる。
【００２８】
コメントを入力するためのコメント入力手段を備えて情報表示枠に表示可能な場合、コメントを情報と共に表示できるので便利であり、しかも情報表示枠は見やすく表示することが可能なので、コメントも見やすくなる。
【００２９】
情報表示処理手段がマーカーと情報表示枠とを繋ぐ引き出し線を表示する場合、情報の位置を移動させても、情報とマーカーとの関連付けを直ちに視認することができ、情報が一層見やすくなる。
【００３０】
情報表示処理手段がマーカー及び情報表示枠の表示位置を波形に対して再表示可能に記憶部に記憶させる場合、測定者は、任意の時に、波形と共にマーカー及び情報の位置関係を再現させて表示させることができる。
【００３１】
情報表示処理手段が表示画面に表示されている表示画像データを、外部インタフェース部から外部機器に出力したり、外部記録装置から外部記録媒体に書き込む場合、測定者は、例えば外部のコンピュータで表示画像データを利用したり、紙に印刷して利用したり、外部記録媒体に保存したりすることができる。
【図面の簡単な説明】
【００３２】
【図１】本発明を適用する測定装置の構成を示すブロック図である。
【図２】本発明を適用する測定装置の動作を示すフローチャートである。
【図３】本発明を適用する測定装置のタッチパネルの表示例及び操作例を示す図である。
【図４】本発明を適用する測定装置のタッチパネルの表示例を示す図である。
【図５】本発明を適用する測定装置のタッチパネルの表示例及び操作例を示す図である。
【図６】本発明を適用する測定装置のタッチパネルの表示例及び操作例を示す図である。
【図７】本発明を適用する測定装置のタッチパネルの表示例を示す図である。
【図８】本発明を適用する測定装置のタッチパネルの表示例及び操作例を示す図である。
【図９】本発明を適用する測定装置のタッチパネルの表示例及び操作例を示す図である。
【図１０】本発明を適用する測定装置のタッチパネルの表示例を示す図である。
【図１１】本発明を適用する測定装置のタッチパネルの表示例及び操作例を示す図である。
【図１２】本発明を適用する測定装置のタッチパネルの表示例及び操作例を示す図である。
【図１３】本発明を適用するプログラムを動作させるコンピュータの使用状態を示す概略図である。
【図１４】図１３に示すコンピュータの構成を示すブロック図である。
【図１５】図１３に示す測定ユニットの構成を示すブロック図である。
【発明を実施するための形態】
【００３３】
以下、発明を実施するための形態を詳細に説明するが、本発明の範囲はこれらの形態に限定されるものではない。
【００３４】
図１に、本発明を適用する測定装置１を示す。測定装置１は、測定用センサ１１、測定部１２、ＣＰＵ（中央処理演算装置）１５、タッチパネル１６、記憶部１９、外部Ｉ／Ｆ部２０、及び外部記録装置２１を備えている。
【００３５】
測定用センサ１１は、例えば温度センサ、電流センサ、電圧センサ、測定プローブなどである。測定用センサ１１は、測定チャネル分備えられている。測定装置１は、測定用センサ１１を着脱可能なコネクタを備えていてもよい。測定部１２は、一例として、測定用センサ１１によって測定された測定値を適正なレベルに増幅する増幅器１３、及び、増幅された測定値をアナログ／デジタル変換して測定データをＣＰＵ１５に出力するアナログ／デジタル変換器１４を備えている。測定用センサ１１及び測定部１２は、公知の測定装置と同様のものである。
【００３６】
ＣＰＵ１５は、記憶部１９に記憶されているプログラムに従って動作して、測定装置１の動作を統括的に制御して、測定部１２の動作を制御して測定を行わせると共に、後述するように、波形表示処理手段３０、情報表示処理手段３１、操作種別判別手段３２、移動手段３３、コメント入力手段３４、結合手段３５、及び分割手段３６として動作する。
【００３７】
タッチパネル１６は、画像を表示可能な液晶パネルなどの表示画面１７と、表示画面１７上の接触位置を検知可能なタッチパッドなどの操作部１８とを組み合わせたものである。タッチパネル１６は、表示画面１７が操作部１８を兼ねているので、以下では操作部１８を表示画面１７ともいう。
【００３８】
記憶部１９は、書き換え可能な不揮発性メモリであり、ＣＰＵ１５の動作用のプログラム、測定データ、マーカーの表示位置、情報表示枠の表示位置、コメント、演算式、必要性に応じて情報表示枠に表示する情報や演算結果、及び結合データを記憶するものである。記憶部１９は、測定条件など測定に必要な内容も記憶する。記憶部１９は、例えば、フラッシュメモリなどの半導体メモリやハードディスクである。記憶部１９を、プログラム記憶部、測定データ記憶部、マーカーの表示位置記憶部等のように記録する対象に分けて各々別個のメモリを用いてもよいし、同図に示すように１つのメモリを共用して用いてもよい。
【００３９】
外部Ｉ／Ｆ部２０は、外部機器接続用のインタフェースである。外部Ｉ／Ｆ部２０は、例えば、無線や有線によるＬＡＮ（ローカル・エリア・ネットワーク）、モデム、ＵＳＢ（ユニバーサル・シリアル・バス）、Ｂｌｕｅｔｏｏｔｈ（登録商標）、プリンタ接続インタフェースなどである。
【００４０】
外部記録装置２１は、ＵＳＢメモリやＳＤ（エスディー）メモリカードなどの携帯可能な半導体メモリや、ＣＤ（コンパクトディスク）−Ｒ（レコーダブル）／ＲＷ（リライタブル）といった光学ディスクメモリなどの外部記録媒体にデータを記録したり、外部記録媒体からデータを読み込んだりするための外部記憶媒体の書込／読込装置である。
【００４１】
次に、測定装置１の動作について図１〜図１２を参照して説明する。図２に測定装置１の動作を示すフローチャートを示し、図３〜図１２にタッチパネル１６の表示例や操作例を示す。
【００４２】
測定装置１（図１参照）のＣＰＵ１５は、電源が投入されると記憶部１９のプログラムに従って動作する。ＣＰＵ１５は、測定部１２を制御して測定を実行し、測定データを取得する。ＣＰＵ１５は、取得した測定データを記憶部１９に記憶させる。この測定動作は、従来の測定装置と同様である。
【００４３】
また、ＣＰＵ１５は波形表示処理手段３０として動作して、この波形表示処理手段３０が、表示画面１７に測定データに基づく波形を表示する（図２の波形表示処理ステップＳ１）。波形表示処理手段３０は、測定中にリアルタイムに波形を表示してもよいし、測定終了後に、測定者による波形表示操作によって波形を表示してもよい。波形表示処理手段３０は、波形として、電圧などの測定データを時間軸に沿って波形表示したり、電圧及び電流の測定データに基づきインピーダンス等に演算処理してから時間軸に沿って波形表示したりする。測定装置１が、測定プローブを移動機構で順次移動させて測定を行うものである場合、測定位置を横軸とする波形を表示するものであってもよい。波形を表示する縦軸・横軸、グラフの種類等は、公知の測定装置の波形表示方法と同様であり、測定対象物や測定データの種類によって異なる。波形の表示スケールや表示するデータ範囲は、タッチパネル１６の操作により、適宜設定できる。
【００４４】
波形を表示すると、ＣＰＵ１５は情報表示処理手段３１として動作して、この情報表示処理手段３１が、波形上の接触位置にマーカーを表示すると共に、マーカーの位置に対応する波形の情報を、情報表示枠に表示する。また、ＣＰＵ１５は結合手段３５として動作して、情報表示枠及び他の情報表示枠に対する結合操作を検出して、情報表示処理手段３１に、情報表示枠及び他の情報表示枠を結合した新たな情報表示枠を表示する。また、結合手段３５は、情報表示枠に表示されている情報と他の情報表示枠に表示されている他の情報とによる演算処理を行い、その演算結果を、結合させた新たな情報表示枠に表示する。また、ＣＰＵ１５は分割手段３６として動作して、新たな情報表示枠に対する分割操作を検出して、情報表示処理手段３１に、新たな情報表示枠に結合前の情報表示枠及び他の情報表示枠を表示させる。また、ＣＰＵ１５は移動手段３３として動作して、情報表示枠の表示位置を、情報表示枠に対する接触位置の移動に対応させて移動するように、情報表示処理手段３１に表示させる。また、ＣＰＵ１５はコメント入力手段として動作して、情報に対しコメントの入力が可能になる。以下、具体的に説明する。
【００４５】
図３に、波形表示処理ステップＳ１（図２参照）で、タッチパネル１６の表示画面１７に、波形表示処理手段３０が測定データに基づく波形を表示した例を示す。同図には、チャネル１の波形Ａ、チャネル２の波形Ｂの表示例を示している。
【００４６】
同図に示すように、測定者は、マーカーを表示させる波形上の任意の位置を、指９０で接触する。指９０に換えてタッチペンで接触してもよい。
【００４７】
情報表示処理手段３１（図１参照）は、図２の接触検出ステップＳ２で表示画面１７への接触を検出すると、表示内容判別ステップＳ３に進み、接触位置の表示内容を判別する。
【００４８】
表示内容判別ステップＳ３で、情報表示処理手段３１が表示内容を波形であると判別すると、操作種別判別ステップＳ４に進み、ＣＰＵ１５が操作種別判別手段３２（図１参照）として動作する。操作種別判別手段３２は、表示画面１７上の接触による操作種別を判別する。ここで、操作種別とは、指９０によるタッチパネル１６の操作の種別であり、一例として、画面に触れてすぐ離す操作である「タップ」、画面に触れてすぐ離すことを短時間に２回行う操作である「ダブルタップ」、画面に一定時間以上触れてから離す操作である「ロングタップ」、移動対象に触れてそのまま移動させたい位置まで画面から離さずにスライドさせる操作である「ドラッグ」などがある。
【００４９】
操作種別判別ステップＳ４で、操作種別判別手段３２が操作種別を一例としてロングタップであると判別すると、マーカー表示ステップＳ５に進み、情報表示処理手段３１が、表示画面１７の波形上の指９０の接触位置に、マーカーを表示する。ロングタップでマーカーを表示するようにすると、意図しない短い接触でマーカーが表示されることを防止できるため好ましい。なお、必要性に応じてタップ、ダブルタップなどの波形上に接触する他の操作でマーカーを表示するようにしてもよい。
【００５０】
続いて、情報表示ステップＳ６に進み、情報表示処理手段３１がマーカーの位置の測定データを記憶部１９から読み込み、必要に応じて演算処理して、マーカーの位置に対応する波形の情報を、情報表示枠で囲んで表示画面１７に表示する。ここで波形の情報とは、波形の縦軸・横軸の値、波形を演算処理して表示している場合は元の測定データ、波形の測定チャネルなどであり、従来の測定装置がマーカーに対応させて表示する情報と同様であってもよい。
【００５１】
続いて、記憶ステップＳ７に進み、情報表示処理手段３１は、波形に対するマーカー及び情報表示枠の表示位置を、波形に対して再現して表示画面１７に再表示可能なように、記憶部１９に記憶させる。一例として、情報表示処理手段３１は、マーカーの表示位置として、例えばデータ番号や横軸の値など、マーカーの位置の測定データを特定する情報を記憶部１９に記憶させる。また、一例として、情報表示処理手段３１は、情報表示枠の表示位置として、マーカーに対する相対的なＸＹ座標や、相対的な距離及び方向など、マーカーに対する相対的な表示位置を記憶部１９に記憶させる。
【００５２】
表示した情報の内容については、測定データをそのまま表示する場合のように、情報表示処理手段３１が記憶部１９の測定データから再現することができる場合には記憶部１９に記憶させなくてもよいが、表示用の情報として測定データとは別に記憶部１９に記憶させてもよい。例えば測定者が入力した数値との演算結果を情報として表示する場合のように、測定データから再現できない場合には、表示した情報の内容を記憶部１９に記憶させる。図２に示す操作種別判別ステップＳ４で、操作種別判別手段３２がロングタップでないその他の操作を判別したときは、接触検出ステップＳ２に戻る。
【００５３】
図４に、指９０（図３参照）の波形Ａ上の接触位置にマーカーＭａを表示して、マーカーＭａの位置に対応する波形Ａの情報を、情報表示枠Ｃａに表示した表示例を示す。同図に示すように、情報表示枠Ｃａは、マーカーＭａに対する波形Ａの情報を囲んで表示する枠線である。同図では、情報表示枠Ｃａ内に、横軸に対応する時間「１４．２ｓ」、チャネル「ＣＨ２」、縦軸に対応する電圧「８２．３Ｖ」、コメント「最小値」を情報として表示した例を示している。コメントは測定者が入力したものであり、その入力については後述する。情報表示枠Ｃａ内に情報を表示することで、情報が見やすくなるため好ましい。情報表示枠Ｃａ全体の表示色を背景色と異ならせて表示してもよい。情報表示枠Ｃａの形状は、同図に示すように四角形のような多角形であってもよいし、楕円であってもよいし、特に限定されない。マーカーＭａは、三角形のような多角形や十字線等、公知のマーカー形状であればよい。情報表示枠Ｃａから情報が多少はみ出して表示されてもよい。
【００５４】
同図に示すように、情報表示処理手段３１がマーカーＭａと情報表示枠Ｃａとを繋ぐ引き出し線Ｌａを表示することが好ましい。引き出し線Ｌａを表示することで、マーカーＭａに対する情報表示枠Ｃａがどこに表示されているか、測定者は直ちに視認することができる。情報表示処理手段３１が情報表示枠Ｃａを最初に表示する位置は、マーカーＭａの近くの波形Ａ，Ｂと重ならない位置に表示することが好ましいが、情報表示枠Ｃａは後述するように移動させることが可能なので、最初に何れの位置に表示するようにしてもよい。
【００５５】
同図には、波形Ｂ上への接触により、マーカーＭｂ、情報表示枠Ｃｂ、及び引き出し線Ｌｂを表示した例も示している。情報表示枠Ｃｂには、マーカーＭｂの位置の波形の情報として、横軸に対応する時間「１５．３ｓ」、チャネル「ＣＨ１」、縦軸に対応する電圧「１４２．５Ｖ」、コメント「最大値」を表示した例を示している。
【００５６】
情報表示枠Ｃａの表示位置を移動させるときは、図５に示すように、測定者は、表示させたい任意の位置まで、情報表示枠Ｃａを指９０でドラッグする。図示しないが、情報表示枠Ｃｂの表示位置も、指９０でドラッグすることで移動できる。
【００５７】
このとき、図２の接触検出ステップＳ２、表示内容判別ステップＳ３へと進み、情報表示処理手段３１が指９０の接触位置の表示内容を情報表示枠Ｃａであると判別する。これにより、分割操作判別ステップＳ８に進む。分割操作については後述するが、ここでは分割操作ではないと判別して、操作種別判別ステップＳ９に進む。操作種別判別ステップＳ９では、操作種別判別手段３２が、ドラッグ操作であるか、ダブルタップ操作であるかその他の操作であるか判別する。操作種別判別ステップＳ９で、操作種別判別手段３２がドラッグであると判別したときに、情報表示枠移動ステップＳ１０に進み、ＣＰＵ１５が移動手段３３として動作して、指９０の接触位置の移動に合わせて、情報表示枠Ｃａの表示位置を移動させる。これにより、指９０の接触位置の移動と共に情報表示枠Ｃａが移動していく。
【００５８】
移動手段３３が情報表示枠Ｃａを移動させているときに、図５に示すように、情報表示処理手段３１は情報表示枠Ｃａの移動に合わせて、マーカーＭａと情報表示枠Ｃａとを繋ぐように引き出し線Ｌａも移動させて表示することが好ましい。引き出し線Ｌａは、マーカーＭａに最も近い情報表示枠Ｃａの角部につなぐようにしてもよいし、マーカーＭａに最も近い辺の中央部と繋ぐようにしてもよいし、繋ぐ位置は適宜決めればよい。
【００５９】
情報表示枠Ｃａの移動中に、ＣＰＵ１５は結合手段３５として動作して、結合操作が行われるか判別する（結合操作判別ステップＳ１１）。結合操作については後述するが、ここでは結合操作が行われなかったものとする。
【００６０】
測定者は、情報表示枠Ｃａを配置したい任意の位置までドラッグさせて、指９０を表示画面１７から離す。ドラッグが終了すると、情報表示処理手段３１は、移動した情報表示枠Ｃａの表示位置を、記憶部１９に記憶させる（記憶ステップＳ７）。
【００６１】
また、測定者は、情報表示枠Ｃａの情報にコメントを追加したい場合、情報表示枠Ｃａを一例としてダブルタップする。コメントの入力操作は、ダブルタップ以外の操作（例えばロングタップ）で入力できるようにしてもよい。
【００６２】
このとき、図２に示すフローチャートで、接触検出ステップＳ２、表示内容判別ステップＳ３、分割操作判別ステップＳ８、操作種別判別ステップＳ９と進む。操作種別判別ステップＳ９で、操作種別判別手段３２が情報表示枠Ｃａをダブルタップされたと判別したときに、コメント入力ステップＳ１３に進む。コメント入力ステップＳ１３で、ＣＰＵ１５はコメント入力手段３４として動作する。コメント入力手段３４は、一例として、図示しないが表示画面１７に、コメント入力用の仮想キーボード（ソフトウエアキーボード）を表示する。測定者は、コメント入力手段３４（キーボード）の操作によりコメントを入力する。実際のキーボードを用いてコメントを入力してもよい。情報表示処理手段３１は、コメント表示ステップＳ１４で、入力されたコメントを情報表示枠Ｃａ内の情報に付して、表示画面１７に表示する。また、情報表示処理手段３１は、情報表示枠Ｃａ内にコメントを再表示可能に、記憶部１９に記憶させる（記憶ステップＳ７）。例えば、情報表示処理手段３１は、コメントをマーカーＭａ、マーカーＭａに対応する測定データ、又は情報表示枠Ｃａに対応付けて、記憶部１９に記憶させる。なお、操作種別判別ステップＳ９で、その他の操作が行われたときは、接触検出ステップＳ２に戻る。
【００６３】
本発明の測定装置１では、図４に示した情報表示枠Ｃａ、Ｃｂを１つに結合して表示することができる。
【００６４】
測定者は、情報表示枠Ｃａと他の情報表示枠Ｃｂを結合する場合、結合操作を行う。結合操作は、一例として、図６に示すように、２本の指９０ａ，９０ｂを使い、情報表示枠Ｃａを指９０ａでドラッグすると共に、情報表示枠Ｃｂを指９０ｂでドラッグして、情報表示枠Ｃａと情報表示枠Ｃｂとを所定の位置関係となるように近づける操作である。所定の位置関係とは、例えば、情報表示枠Ｃａと情報表示枠Ｃｂとが、少なくとも一部で重なり合う位置関係や、例えば５０％以上のように所定の割合以上の領域が重なり合う位置関係である。所定の位置関係は、予め設定しておく。
【００６５】
このような操作をしたとき、図２の操作種別判別ステップＳ９で、操作種別判別手段３２が、情報表示枠Ｃａと情報表示枠Ｃｂとが各々ドラッグされたと判別する。これにより、情報表示枠移動ステップＳ１０に進み、移動手段３３が、指９０ａの接触位置の移動に合わせて情報表示枠Ｃａの表示位置を移動させると共に、指９０ｂの接触位置の移動に合わせて情報表示枠Ｃｂの表示位置を移動させる。このように、同時に複数の情報表示枠Ｃａ，Ｃｂのドラッグを行う。
【００６６】
結合手段３５は、図２の結合操作判別ステップＳ１１で、情報表示枠Ｃａ，Ｃｂが所定の位置関係に近づいたときに結合操作であると判別する。これにより、結合処理ステップＳ１２に進み、結合手段３５は結合処理を実行する。結合処理は、情報表示処理手段３１に、情報表示枠Ｃａ内の情報（コメントを含む）と他の情報表示枠Ｃｂ内の他の情報（コメントを含む）とを、新たな情報表示枠Ｃｔで囲んで表示させる処理である。また、結合手段３５は、情報表示枠Ｃａ内の情報と他の情報表示枠Ｃｂ内の他の情報とよる演算処理を行い、情報表示処理手段３１に、その演算処理結果を新たな情報表示枠Ｃｔ内に表示させることが好ましい。
【００６７】
この結合処理により、図７に示すように、表示画面１７に、情報表示枠Ｃａと情報表示枠Ｃｂとを１つに結合した情報表示枠Ｃｔが表示される。情報表示枠Ｃｔの表示位置は、情報表示枠Ｃａと情報表示枠Ｃｂとが重なった位置を中心に表示することが好ましい。同図では、情報表示枠Ｃｔが波形Ａ，Ｂの前面に表示されて、波形Ａ，Ｂ隠して表示した例を示しているが、波形Ａ，Ｂを情報表示枠Ｃｔの前面に表示させて、波形Ａ，Ｂが隠れないように表示するようにしてもよい。情報表示枠Ｃｔ内には、情報表示枠Ｃａ内に表示されていた情報、及び情報表示枠Ｃｂ内に表示されていた情報が表示される。情報表示枠Ｃｔ内に表示する各情報の表示順は、例えば同図に示すように、時間軸（時系列）に対応させて、時間的に先のマーカーＭａ（情報表示枠Ｃａ）の情報を左に、時間的に後のマーカーＭｂ（情報表示枠Ｃｂ）の情報を右に示すようにしてもよいし、左（又は右）からチャネル順に情報を表示するようにしてもよい。各情報を上下に並べて表示してもよい。その表示順は適宜設定する。表示順は、測定者の操作で予め設定できるようにしてもよいし、表示後に、測定者の例えば情報のドラッグ操作で入れ替えて変更できるようにしてもよい。情報表示枠Ｃｔに表示する情報に、マーカーＭａ，Ｍｂを示す番号を付して表示してもよい。
【００６８】
また、同図に示すように、演算処理により、情報表示枠Ｃｔ内に、情報表示枠Ｃａの情報と情報表示枠Ｃｂの情報との差分の演算結果が表示される。同図では、演算式（演算方法）を示す「ＣＨ１−ＣＨ２」、ＣＨ１（マーカーＭｂ）とＣＨ２（マーカーＭａ）の時間の差分の演算結果である「１．１ｓ」、ＣＨ１とＣＨ２の電圧の差分の演算結果である「６０．２Ｖ」を表示した例を示している。このように、演算結果と共に、情報表示枠Ｃｔに演算式を表示することが好ましい。この演算式は、差だけを演算するように固定の演算式としてもよいが、例えば表示画面１７に関数電卓やキーボード等を表示して、測定者の操作で、差、和、積、商、平方根、指数関数、対数関数、括弧などの演算子を用いて任意の演算式を設定できることが好ましい。また、使用頻度が高いと思われる複数の演算式を選択可能に予め設定しておき、測定者の操作で演算式を選択できるようにしてもよい。
【００６９】
また、同図に示すように、情報表示処理手段３１は、マーカーＭａと情報表示枠Ｃｔとを繋ぐ引き出し線Ｌａを表示すると共に、マーカーＭｂと情報表示枠Ｃｔとを繋ぐ引き出し線Ｌｂを表示することが好ましい。同図の例では、引き出し線Ｌａ，Ｌｂが情報表示枠Ｃｔの同じ点（角部）に繋ぐ例を示しているが、情報表示枠Ｃｔの異なる点に繋いでもよい。
【００７０】
情報表示処理手段３１は、新たな情報表示枠Ｃｔの表示位置や、情報表示枠ＣｔがマーカーＭａの情報表示枠ＣａとマーカーＭｂの情報表示枠Ｃｂとを結合したものであるということを示す結合データを、記憶部１９に記憶させる（記憶ステップＳ７）。演算式を測定者が設定した場合、演算式も記憶部１９に記憶させる。演算結果は、後で再表示するときに、演算式や情報から再度演算処理することで再現可能であれば記憶部１９に記憶させなくてもよいが、記憶させてもよい。演算結果が再現可能でない場合、演算結果を記憶部１９に記憶する。
【００７１】
情報表示枠Ｃｔの表示位置は、測定者が情報表示枠Ｃｔをドラッグすることで、任意の位置に移動することができる（情報表示枠移動ステップＳ１０）。移動後の情報表示枠Ｃｔの表示位置は、記憶部１９に記憶される（記憶ステップＳ７）。
【００７２】
また、情報表示枠Ｃｔをダブルタップすることで（操作種別判別ステップＳ９）、情報表示枠Ｃｔ内に測定者がコメントを新たに入力することができる（コメント入力ステップＳ１３及びコメント表示ステップＳ１４）。入力した新たなコメントは、再表示可能に記憶部１９に記憶される（記憶ステップＳ７）。
【００７３】
このように、複数の情報表示枠Ｃａ，Ｃｂを１つの情報表示枠Ｃｔに結合することで、複数のマーカーＭａ，Ｍｂに対する情報が見やすくなる。情報表示枠Ｃｔは、測定者がドラッグして任意の位置に移動できるため、例えば波形Ａ，Ｂの無い位置に移動することで、一層見やすくなる。また、情報表示枠Ｃｔに、複数の情報を用いた演算結果を表示することで、測定者が演算処理を行わなくても一目瞭然に演算結果を知ることができ、便利である。
【００７４】
結合した情報表示枠Ｃｔは、測定者が分割操作を行うことで、元の情報表示枠Ｃａ及び情報表示枠Ｃｂに分割して表示可能であることが好ましい。
【００７５】
分割操作は、一例として、図８に示すように、２本の指９０ａ，９０ｂを使い、情報表示枠Ｃａを指９０ａ及び指９０ｂで接触（マルチタップ）して、そのまま指９０ａ，９０ｂが互いに離れる方向に表示画面１７上をスライドさせる操作である。
【００７６】
この様な操作をしたときに、図２に示すフローチャートの表示内容判別ステップＳ３で、情報表示枠Ｃｔの接触を判別して分割操作判別ステップＳ８に進み、分割手段３６が、上記の分割操作を判別する。続いて、分割処理ステップＳ１５に進み、分割手段３６が分割処理を実行する。分割処理は、情報表示処理手段３１に、情報表示枠Ｃｔに結合前の情報表示枠Ｃａ及び情報表示枠Ｃｂを表示させる処理である。
【００７７】
分割手段３６は、記憶部１９から情報表示枠Ｃｔが情報表示枠Ｃａ，Ｃｂを結合したものであることや、情報表示枠Ｃａ，Ｃｂに対応する情報やコメント等を読み込んで、情報表示枠Ｃａ，Ｃｂを表示させる。情報表示処理手段３１は、分割後の情報表示枠Ｃａ，Ｃｂの表示位置を、記憶部１９に記憶させる。
【００７８】
図９に、情報表示枠Ｃａと情報表示枠Ｃｂとに分割した例を示す。同図に示すように、スライドさせた指９０ａ，９０ｂの各々の接触位置に情報表示枠Ｃａ，Ｃｂを表示することが好ましい。同図に示すように、マーカーＭａに近い側の指９０ｂに情報表示枠Ｃａを表示して、マーカーＭｂに近い側の指９０ａに情報表示枠Ｃｂを表示することが好ましい。同図に示す状態から、さらに、そのまま指９０ａ，９０ｂを移動させたときに、その接触位置の移動に対応させて情報表示枠Ｃａ，Ｃｂをドラッグするようにして、測定者の所望の位置に移動できることが好ましい。なお、分割操作をしたときに、情報表示枠Ｃｔに結合する前に表示していた位置に、情報表示枠Ｃａ，Ｃｂを表示させてもよい。
【００７９】
なお、結合した情報表示枠Ｃｔ内に演算結果も表示した例について説明したが、演算結果が不要である場合には、図１０（ａ）の情報表示枠Ｃｔ１に示すように、情報表示枠Ｃａ，Ｃｂ内の各情報（コメント含む）だけを表示してもよい。演算結果を表示するか否かは、測定者の操作で選択できるようにすることが好ましい。
【００８０】
また、２つの情報表示枠Ｃａ，Ｃｂを結合した例について示したが、結合する情報表示枠の数は任意である。図１０（ｂ）に示す情報表示枠Ｃｔ２は、３つの情報表示枠を結合した例を示している。この場合、例えば２つの情報表示枠を結合操作して２つを１つにしてから、その１つにした新たな情報表示枠と、残りの他の情報表示枠とを結合操作するように、順に１つずつ結合していくことで、複数の情報表示枠を１つに結合してもよい。また、複数の情報表示枠全てを指でドラッグして近づける結合操作を行い、一度に１つに結合するようにしてもよい。また、結合した情報表示枠と、他の結合した情報表示枠とを結合操作することで、１つにしてもよい。複数を１つに結合した情報表示枠を分割操作する場合、例えば分割操作する度に順に１つずつ情報表示枠が分割していくようにしてもよいし、１つの分割操作で、結合している全ての情報表示枠が一度に全部分割するようにしてもよい。
【００８１】
また、結合して情報表示枠に表示する情報が多くなる場合、図１０（ｃ）に示す情報表示枠Ｃｔ３のように、枠の大きさは大きくせずに、代わりに情報表示枠Ｃｔ３にスクロールバー７１を表示するようにしてもよい。このスクロールバー７１の移動操作に対応させて、情報表示処理手段３１が情報表示枠Ｃｔ３内の情報をスクロール表示させる。
【００８２】
測定装置１は、波形データを記憶部１９に記憶すると共に、マーカーＭａ，Ｍｂに対応する測定データやその表示位置、情報表示枠Ｃａ，Ｃｂの表示位置や結合した場合には情報表示枠Ｃｔの表示位置、結合した内容、コメント、演算式、情報等を再表示可能に記憶部１９に記憶している。このため、波形表示処理手段３０が、図２の波形表示処理ステップＳ１で測定データを記憶部１９から読み込んで波形Ａ，Ｂを表示するときに、情報表示処理手段３１が、記憶部１９からマーカーＭａ等や情報表示枠Ｃａ，Ｃｔ等のデータを読み込むことで、マーカーＭａ，Ｍｂ、情報表示枠Ｃａ，Ｃｂ（情報及びコメント）若しくは情報表示枠Ｃｔ（情報、演算結果、コメント）、及び引き出し線Ｌａ，Ｌｂを、波形Ａ，Ｂに対して相対的な位置関係を再現して表示画面１７に表示することができる。情報表示処理手段３１が、記憶ステップＳ７で、波形Ａ，Ｂの表示スケール、及び波形Ａ，Ｂの例えば表示開始位置等の表示位置も記憶部１９に記憶させておくと、表示画像を全く同様に再現できるので、より好ましい。再表示した後にも、情報表示枠Ｃａ，Ｃｂ，Ｃｔをドラッグして移動させることができるし、情報表示枠Ｃｔに結合したり、分割したりすることができる。
【００８３】
また、波形のスクロール（移動）表示と共に、マーカー及び情報表示枠も波形と共に移動させることが好ましい。
【００８４】
その場合、測定者が波形Ａ，Ｂを左右方向（又は上下方向）に移動させるスクロール操作をしたときに、波形表示処理手段３０が測定データを記憶部１９から読み込んで波形Ａ，Ｂをスクロールさせて表示すると共に、情報表示処理手段３１がマーカーＭａ，Ｍｂ、及び、情報表示枠Ｃａ，Ｃｂ，Ｃｔ等を記憶部１９から読み込んで、波形Ａ，Ｂのスクロール表示に対応させて、マーカーＭａ，Ｍｂ、情報表示枠Ｃａ，Ｃｂ，Ｃｔ、及び引き出し線Ｌａ，Ｌｂの表示位置を移動させる。
【００８５】
図１１に、図７に示す波形をスクロールした表示例を示す。測定者は、波形Ａ，Ｂをスクロール表示するときに、一例として、表示画面１７を指９０でスクロールさせる方向（上下左右）に短く弾く操作であるフリック操作を行う。図１１では、表示画面１７を右方向にフリック操作して、波形Ａ，Ｂを右方向にスクロールさせた例を示している。波形Ａ，Ｂをスクロールしても、マーカーＭａ，Ｍｂ、情報表示枠Ｃｔ、及び引き出し線Ｌａ，Ｌｂの波形Ａ，Ｂに対する相対的な位置関係は維持される。
【００８６】
また、測定装置１（情報表示処理手段３１）は、表示画面１７に表示されている表示画像データを、外部Ｉ／Ｆ部２０から外部のコンピュータやプリンタなどの外部機器に出力したり、外部記録装置２１に装着した外部記録媒体に記録したりできるようにすることが好ましい。表示画像データは、例えばＢＭＰ形式、ＪＰＧ形式、ＧＩＦ形式等の画像ファイル形式に変換して、または、ＤＷＦ形式、ＤＸＦ形式、ＤＷＧ形式等のＣＡＤソフトやドローイングソフトで読み込み可能なファイル形式に変換して外部Ｉ／Ｆ部２０等から出力するようにしてもよい。表示画面１７に表示されている表示画像データを外部Ｉ／Ｆ部２０等から出力する場合、表示画像をハードコピーして、外部Ｉ／Ｆ部２０等から出力するようにしてもよい。
【００８７】
このように外部Ｉ／Ｆ部２０や外部記録装置２１から外部に表示画像データを出力可能にすることで、測定者は、波形Ａ，ＢにマーカーＭａ，Ｍｂ、情報表示枠Ｃｔ等を配置した画像を外部のコンピュータで利用したり、プリンタで紙に印刷したりして利用することができる。
【００８８】
また、情報表示処理手段３１は、記憶部１９に記憶されているマーカー及び／又は情報表示枠を検索して、その表示位置の波形を波形表示処理手段３０に表示画面１７に表示すると共に、マーカー、情報表示枠、及び引き出し線を表示画面１７に表示可能であることが好ましい。
【００８９】
例えば、表示画面１７を指９０でロングタップすると、ＣＰＵ１５は、表示画面１７に機能選択用のメニュー（図示せず）を表示させる。そのメニューの中から、マーカー（または情報表示枠）選択表示機能が選択されると、ＣＰＵ１５は、記憶部１９の中からマーカーや情報表示枠を検索して、図１２に示すように、一例として一覧表形式で表示する。情報表示枠が結合している場合、一覧表中に、結合していることを明示して表示することが好ましい。同図では、マーカーＭａ，Ｍｂを一例として線で囲むことで、マーカーＭａ，Ｍｂの情報表示枠が結合していることを明示している。同様に、マーカーＭｃ，Ｍｄも線で囲んで、情報表示枠が結合していることを示している。マーカーＭｅ，Ｍｆ，Ｍｇは囲み線が表示されていないので、情報表示枠が結合していないことを明示している。
【００９０】
測定者は、表示させたいマーカーの欄を指９０で接触（例えばタップ）して選択する。情報表示処理手段３１は、一例としてマーカーＭａが選択されたときに、図７に示すように、波形Ａ，Ｂ、マーカーＭａ，Ｍｂや情報表示枠Ｃｔを、表示画面１７に再現して表示する。なお、同図に示した一覧表自体を、外部Ｉ／Ｆ部２０や外部記録装置２１から出力できるようにしてもよい。
【００９１】
また、情報表示処理手段３１は、測定者の操作で、マーカー及び情報表示枠を記憶部１９から１つずつ順番に検索して、検索する毎に、マーカーや情報表示枠の位置まで波形をジャンプさせて、マーカーや情報表示枠等と共に表示画面１７に表示するようにしてもよい。
【００９２】
なお、測定者が波形上のマーカーＭａを指９０でドラッグすることで、波形上のマーカーＭａの表示位置を変更できるようにすることが好ましい。
【００９３】
このとき、図２の接触検出ステップＳ２で、情報表示処理手段３１が接触を検出したときに、表示内容判別ステップＳ３で、指９０の接触位置の表示内容がマーカーＭａであると判別する。これにより、操作種別判別ステップＳ１２に進み、操作種別判別手段３２がドラッグ操作を判別すると、マーカー移動ステップＳ１７に進む。マーカー移動ステップＳ１７では、情報表示処理手段３１がマーカーＭａの表示位置を、指９０の接触位置の移動に合わせて波形上を移動させる。情報表示処理手段３１は、移動させているマーカーＭａの表示位置に対応させて、情報表示枠Ｃａ又はＣｔ内の情報を逐次更新して表示する。このとき、情報表示処理手段３１は、情報表示枠Ｃａ、Ｃｔの位置は移動させず、引き出し線ＬａがマーカーＭａと情報表示枠Ｃａとを繋ぐように表示する。測定者が、マーカーＭａを希望の任意の位置までドラッグさせて、指９０を表示画面１７から離すと、情報表示処理手段３１は、マーカーＭａの表示位置等を、記憶部１９に記憶させる（記憶ステップＳ７）。なお、操作種別判別ステップＳ１２で、その他の操作が行われたときは、接触検出ステップＳ２に戻る。
【００９４】
このように、マーカーＭａの表示位置を、指９０のドラッグ操作で、測定者の希望する任意の位置に移動させることができる。
【００９５】
また、操作種別判別手段３２が、ロングタップ、ダブルタップなどの複雑な操作の種別を検出する例について説明したが、単に接触位置及びその移動を検出するだけでよければ、操作種別判別手段３２を用いずに、情報表示処理手段３１や移動手段３３、結合手段３５、分割手段３６が接触位置やその移動に応じた動作をするようにしてもよい。
【００９６】
また、ＣＰＵ１５を移動手段３３として動作させて、情報表示枠Ｃａ，Ｃｂ，Ｃｔを移動可能に表示することが好ましいが、移動手段３３を用いずに、情報表示枠を予め設定された固定の位置に表示するようにしてもよい。固定の位置は、結合されていない情報表示枠の場合、例えばマーカーの近くの位置（例えばマーカーの上下左右の位置）やマーカーの位置の画面上端（又は下端）である。結合された情報表示枠の場合、固定の位置は、例えば表示画面１７の右端（又は左端）の位置や、結合前の情報表示枠の中間の位置である。情報表示枠を固定の位置に表示すると、見やすさは移動可能にしたときよりも悪くなりうるが、情報表示枠に情報を表示するので枠を表示しない場合よりも見やすく表示されるし、情報表示枠を結合することで、情報が一か所にまとめられて表示されて見やすくなる。固定の位置に表示する場合であっても、結合表示と分割表示とのいずれか見やすいほうを、測定者が選択できる。
【００９７】
また、結合操作として、情報表示枠Ｃａ，Ｃｂの両方をドラッグして近づける結合操作について説明したが、結合操作はこの操作例に限られない。例えば一方の情報表示枠Ｃａだけをドラッグして、所定の位置関係になるように、他方の情報表示枠Ｃｂに近づける操作を結合操作としてもよい。また、例えば結合したい複数の情報表示枠Ｃａ，Ｃｂを各々タップ等の操作で選択し、表示画面１７に表示させた結合ボタンを押す（タップする）操作を結合操作としてもよい。
【００９８】
また、分割操作として、情報表示枠Ｃｔを指９０ａ，９０ｂでタッチして、指９０ａ，９０ｂを離すようにスライドさせる操作について説明したが、分割操作はこの操作例に限られない。例えば情報表示枠Ｃｔをタップして選択し、表示画面１７に表示させた分割ボタンを押す（タップする）操作を分割操作としてもよい。また、情報表示枠Ｃｔに対する機能選択メニューを、例えば情報表示枠Ｃｔのロングタップ等の操作で表示させて、機能選択メニュー内の分割を選択する操作を分割操作としてもよい。
【００９９】
結合操作や分割操作は、タッチパネル１６の操作だけで行えることが好ましいが、タッチパネル１６以外に、結合ボタンや分割ボタンなどの操作ボタン（スイッチ）やキーボードなどの操作部１８を設け、タッチパネル１６と操作部１８とを併用して操作してもよく、操作部１８だけで操作してもよい。操作部１８として、記憶部１９に記憶されているマーカー等を波形と共に再表示する画像表示ボタン、波形スクロール用のカーソル（十字）ボタン、メニュー表示ボタンなどの各種操作ボタンが設けられていてもよい。
【０１００】
また、図示しないが、情報表示処理手段３１が表示画面１７に記録ボタンを表示させて、又は、タッチパネル１６以外に記録ボタンを設け、この記録ボタンが操作されたときに、マーカー及び情報表示枠の表示位置を、記憶部１９に記憶させるようにしてもよい。このように記録ボタンを用いることで、測定者は必要な画面表示だけを記録することができる。
【０１０１】
また、情報表示処理手段３１は、マーカー及び情報表示枠の表示を、測定者の操作に従って、それぞれ独立的にオン／オフできるようにしてもよい。
【０１０２】
また、図示しないが、情報表示処理手段３１は、表示画面１７に、情報表示枠Ｃａ，Ｃｂ，Ｃｔの削除用のごみ箱Ｔのアイコンを表示するようにしてもよい。情報表示処理手段３１は、このごみ箱Ｔアイコンに情報表示枠がドラッグされると、その情報表示枠及び対応するマーカーを、表示画面１７から消すと共に、記憶部１９からその情報を消去する。
【０１０３】
次に、本発明を適用するプログラムについて説明する。
【０１０４】
図１３に、本発明のプログラムで動作させたコンピュータ５０の使用状態を示す概略図を示す。なお、以下において既に説明した構成と同様の構成については、同じ符号を付して詳細な説明を省略する。
【０１０５】
コンピュータ５０は、一例として、スマートフォン、ＰＤＡ(Personal Digital Assistants)、携帯型汎用コンピュータなどのタッチパネル１６を搭載したタブレット型の携帯情報端末である。コンピュータ５０は、タッチパネル１６以外に操作ボタンを備えていてもよい。コンピュータ５０として、図示しないが、タッチパネルと本体とが別体型のいわゆるデスクトップ型のコンピュータを用いてもよい。
【０１０６】
測定ユニット５１は、測定用センサ１１を備えて測定データを測定するものである。測定ユニット５１は、コンピュータ５０に測定データを無線又は有線で送信可能になっている。コンピュータ５０は、測定ユニット５１が測定した測定データを受信して、タッチパネル１６に波形表示したり、記録したりする。測定ユニット５１が測定した測定データを外部記録媒体に記録して、コンピュータ５０が外部記録媒体から測定データを読み込むようにしてもよい。コンピュータ５０と測定ユニット５１とによって測定装置が構成されるようにしてもよいし、コンピュータ５０を、何れかの測定装置が測定した測定データに基づく波形を表示する表示装置として用いてもよい。コンピュータ５０と測定ユニット５１とによって測定装置を構成する場合、測定ユニット５１の動作設定や測定開始や停止などの測定ユニット５１の操作は、コンピュータ５０の操作で行えるようにしてもよい。この場合、測定ユニット５１に関する設定項目や操作信号は、コンピュータ５０から測定ユニット５１に無線又は有線で送信する。
【０１０７】
図１４に、コンピュータ５０のブロック図を示す。
【０１０８】
同図に示すように、コンピュータ５０は、ＣＰＵ４１、タッチパネル１６、記憶部１９、外部Ｉ／Ｆ（インタフェース）部２０ａ、及び外部記録装置２１を備えている。
【０１０９】
ＣＰＵ４１は、記憶部１９に記憶された本発明のプログラムに従って動作して、コンピュータ５０の動作を統括的に制御して、既に説明した測定装置１のＣＰＵ１５と同様に、波形表示処理手段３０、情報表示処理手段３１、操作種別判別手段３２、移動手段３３、コメント入力手段３４、結合手段３５、及び分割手段３６として動作する。
【０１１０】
外部Ｉ／Ｆ部２０ａは、外部機器接続用のインタフェースである。外部Ｉ／Ｆ部２０ａを、外部機器である測定ユニット５１と接続してデータ通信するために用いたり、表示画像データを外部に出力するために用いたりする。コンピュータ５０には、無線や有線によるＬＡＮ（ローカル・エリア・ネットワーク）、モデム、ＵＳＢ（ユニバーサル・シリアル・バス）、Ｂｌｕｅｔｏｏｔｈ（登録商標）などの外部Ｉ／Ｆ部２０ａを有している場合が多いので、これらを利用することが好ましい。外部Ｉ／Ｆ部２０ａとして、無線ＬＡＮやＢｌｕｅｔｏｏｔｈを用いると、離れた場所に設置した測定ユニット５１と無線でデータ通信できることから、測定ユニット５１の設置性に優れるため、特に好ましい。
【０１１１】
本発明のプログラムは、ＣＰＵ４１が、外部記録装置２１に装着した外部記録媒体や、ＬＡＮなどの外部Ｉ／Ｆ部２０を介して外部のコンピュータから読み込んで、記憶部１９に記憶させてもよい。
【０１１２】
図１５に、測定ユニット５１のブロック図を示す。
【０１１３】
測定ユニット５１は、測定用センサ１１、測定部１２、ＣＰＵ６１、記憶部６２、及び外部Ｉ／Ｆ部２０ｂを備えている。ＣＰＵ６１は、測定ユニット５１の動作を統括的に制御して、測定部１２に測定を行わせ、測定データをコンピュータ５０に送信する。記憶部６２は、ＣＰＵ６１の動作用のプログラムや、設定項目等を記憶する書き換え可能な不揮発性メモリである。外部Ｉ／Ｆ部２０ｂは、コンピュータ５０の外部Ｉ／Ｆ部２０ａと接続するためのインタフェースである。なお、測定ユニット５１が、表示画面や設定部を備えていてもよい。
【０１１４】
次に、コンピュータ５０の動作について説明する。
【０１１５】
本発明のプログラムは、表示画面１７上の接触位置を検出可能なタッチパネル１６を備えるコンピュータ５０に測定データに基づく波形を表示させるプログラムであって、コンピュータ５０を、測定データを記憶する記憶部１９と、測定データに基づく波形を表示画面１７に表示する波形表示処理手段３０と、波形上の接触位置にマーカーを表示すると共に、マーカーの位置に対応する波形の情報を、情報表示枠に表示する情報表示処理手段３１と、情報表示枠及び他の情報表示枠に対する結合操作を検出して、情報表示処理手段３１に、情報表示枠及び他の情報表示枠を結合した新たな情報表示枠を表示させる結合手段３５として動作させる。このプログラムは、コンピュータ５０を、新たな情報表示枠に対する分割操作を検出して、情報表示処理手段３１に、新たな情報表示枠に結合前の情報表示枠及び他の情報表示枠を表示させる分割手段３６として動作させることが好ましい。このプログラムは、情報表示枠の表示位置を、情報表示枠に対する接触位置の移動に対応させて移動させる移動手段３３としてコンピュータ５０を動作させることが好ましい。このプログラムは、結合手段３５が、情報表示枠に表示されている情報と他の情報表示枠に表示されている他の情報とによる演算処理を行い、その演算結果を新たな情報表示枠に表示させることが好ましい。このプログラムは、コンピュータ５０を情報に対しコメントを入力するためのコメント入力手段３４として動作させ、情報表示処理手段３１が、入力された前記コメントを情報表示枠に表示することが好ましい。このプログラムは、情報表示処理手段３１が、マーカーと情報表示枠とを繋ぐ引き出し線を表示することが好ましい。このプログラムは、情報表示処理手段３１が、波形に対するマーカー及び情報の表示位置を、波形に対して再表示可能に、記憶部１９に記憶させることが好ましい。このプログラムは、外部機器と接続するための外部インタフェース部２０ａ、及び／又は、外部記録媒体に書き込むための外部記録装置２１を備えるコンピュータ５０を、情報表示処理手段３１が、表示画面１７に表示されている表示画像データを、外部インタフェース部２１ａから出力可能であり、及び／又は、外部記録装置２１から外部記録媒体に書き込み可能に動作させることが好ましい。
【０１１６】
コンピュータ５０のＣＰＵ４１は、記憶部１９のプログラムにより、波形表示処理手段３０、情報表示処理手段３１、操作種別判別手段３２、移動手段３３、コメント入力手段３４、結合手段３５、及び分割手段３６として動作する。これらの動作は、既に説明した測定装置１の動作と同様であるため、説明は省略する。コンピュータ５０は、本発明のプログラムに従って動作することで、測定装置１と同様に図２に示すフローチャートに従って動作して、例えば図３〜図１２に示すような表示や操作が可能になる。
【符号の説明】
【０１１７】
１は測定装置、１１は測定用センサ、１２は測定部、１３は増幅器、１４はアナログ／デジタル変換器、１５はＣＰＵ、１６はタッチパネル、１７は表示画面、１８は操作部、１９は記憶部、２０・２０ａ・２０ｂは外部Ｉ／Ｆ部、２１は外部記録装置、３０は波形表示処理手段、３１は情報表示処理手段、３２は操作種別判別手段、３３は移動手段、３４はコメント入力手段、３５は結合手段、３６は分割手段、４１はＣＰＵ、５０はコンピュータ、５１は測定ユニット、６１はＣＰＵ、６２は記憶部、７１はスクロールバー、９０・９０ａ・９０ｂは指、Ａ・Ｂは波形、Ｃａは情報表示枠、Ｃｂは他の情報表示枠、Ｃｔ・Ｃｔ１・Ｃｔ２・Ｃｔ３は新たな情報表示枠、Ｌａ・Ｌｂは引き出し線、Ｍａ・Ｍｂはマーカー、Ｓ１は波形表示処理ステップ、Ｓ２は接触検出ステップ、Ｓ３は表示内容判別ステップ、Ｓ４は操作種別判別ステップ、Ｓ５はマーカー表示ステップ、Ｓ６は情報表示ステップ、Ｓ７は記憶ステップ、Ｓ８は分割操作判別ステップ、Ｓ９は操作種別判別ステップ、Ｓ１０は情報表示枠移動ステップ、Ｓ１１は結合操作判別ステップ、Ｓ１２は結合処理ステップ、Ｓ１３はコメント入力ステップ、Ｓ１４はコメント表示ステップ、Ｓ１５は分割処理ステップ、Ｓ１６は操作種別判別ステップ、Ｓ１７はマーカー移動ステップである。
【図１】
2014153313.tif 000003
【図２】
2014153313.tif 000004
【図３】
2014153313.tif 000005
【図４】
2014153313.tif 000006
【図５】
2014153313.tif 000007
【図６】
2014153313.tif 000008
【図７】
2014153313.tif 000009
【図８】
2014153313.tif 000010
【図９】
2014153313.tif 000011
【図１０】
2014153313.tif 000012
【図１１】
2014153313.tif 000013
【図１２】
2014153313.tif 000014
【図１３】
2014153313.tif 000015
【図１４】
2014153313.tif 000016
【図１５】
2014153313.tif 000017